(57)【特許請求の範囲】
【請求項１】
ヒューマンインタフェース手段とするパソコンと保護継電装置本体の間をＴＣＰ／ＩＰプロトコルを用いた通信で遠隔結合する保護継電装置において、
前記パソコンは、イーサーネットボードを介して保護継電装置本体のＣＰＵボードとデータの送受信を行う手段を設け、
前記ＣＰＵボードは、前記パソコンとの間のＩＰアドレスを管理・保管し、前記パソコンからの変更要求でＩＰアドレスを変更するとともに前記イーサネットボードに送信する手段を設け、
前記イーサネットボードは、前記ＣＰＵボードから受信したＩＰアドレスを仮保管し、前記パソコンとの接続切断を検出したときに前記仮保管するＩＰアドレスを新規のＩＰアドレスとする手段を設け、前記ＣＰＵボードからＩＰアドレスの強制変更指令を受信したときに既知のＩＰアドレスへ変更する手段を設けたことを特徴とする保護継電装置。
【発明の詳細な説明】
【０００１】
【発明の属する技術分野】
本発明は、電力系統を保護する保護継電装置に係り、特にパソコンをヒューマンインタフェース手段とし、このパソコンと保護継電装置本体の間をＴＣＰ／ＩＰプロトコルを用いた通信で遠隔結合した保護継電装置に関する。
【０００２】
【従来の技術】
近年の保護継電装置では、装置の操作や状態把握を行うために、フラットディスプレーとタッチパネルにおいて実現していたヒューマンインターフェイス（以下ＨＩ）を、コスト削減等の理由からタッチパネルやディスプレーを装置に実装せず、装置とパソコン（以下ＰＣ）をＲＳ２３２Ｃ等でシリアル結合して伝送を行い、ＰＣ上でＨＩを実現するという方式が採用されてきている。
【０００３】
さらに、最近では、変電所等の無人化が進み、保守の省力化を目的としたＨＩの遠隔化が進んでいる。遠隔化を行うにあたり、従来のＲＳ２３２Ｃによる伝送方式では不都合な点も多く、近年のＬＡＮの普及にも伴い、イーサーネットを用いたＴＣＰ／ＩＰプロトコル伝送方式のＨＩを保護継電装置でも採用することになった。
【０００４】
ＴＣＰ／ＩＰプロトコルは、伝送を行うネットワーク機器（ＰＣや保護継電装置本体）毎にＩＰアドレスが必要である。保護継電装置でも同様で、装置毎にＩＰアドレスを設定することになる。ＩＰアドレスの設定は、通常、初期化時等に設定される為、ＰＣの世界ではＩＰアドレスを変更するとＰＣの再起動を行うことになる。
【０００５】
【発明が解決しようとする課題】
以下のような理由により、従来の方式（初期化時設定方式）のＩＰアドレス変更方式は保護継電装置には適さない。
【０００６】
保護継電装置は、保護対象機器を常時監視・保護する立場にあるため、容易に電源を落とすことは出来ない。そのため、ＩＰアドレスの変更も稼働状態（つまリ動的）に行う必要があるが、従来の初期化時にＩＰアドレスを設定する方式では容易にＩＰアドレスを変更することが出来ない。
【０００７】
本発明の目的は、保護動作を停止・中断することなく、ＩＰアドレスを変更できる保護継電装置を提供することにある。
【０００８】
【課題を解決するための手段】
本発明は、前記課題を解決するため、ＩＰアドレスを管理・保管するＣＰＵボードと、ＩＰアドレスを仮保管しパソコンと結合するイーサーネットボードとを設け、パソコンはイーサーネットボードを介してＣＰＵボードのＩＰアドレスを変更し、イーサネットボードはパソコンとの接続切断を検出したときに仮保管するＩＰアドレスを新規のＩＰアドレスとし、ＣＰＵボードからＩＰアドレスの強制変更指令を受信したときに既知のＩＰアドレスへ変更するようにしたもので、以下の構成を特徴とする。
【０００９】
ヒューマンインタフェース手段とするパソコンと保護継電装置本体の間をＴＣＰ／ＩＰプロトコルを用いた通信で遠隔結合する保護継電装置において、
前記パソコンは、イーサーネットボードを介して保護継電装置本体のＣＰＵボードとデータの送受信を行う手段を設け、
前記ＣＰＵボードは、前記パソコンとの間のＩＰアドレスを管理・保管し、前記パソコンからの変更要求でＩＰアドレスを変更するとともに前記イーサネットボードに送信する手段を設け、
前記イーサネットボードは、前記ＣＰＵボードから受信したＩＰアドレスを仮保管し、前記パソコンとの接続切断を検出したときに前記仮保管するＩＰアドレスを新規のＩＰアドレスとする手段を設け、前記ＣＰＵボードからＩＰアドレスの強制変更指令を受信したときに既知のＩＰアドレスへ変更する手段を設けたことを特徴とする。
【００１０】
【発明の実施の形態】
図１は、本発明の実施形態を示すシステム構成図である。本システムは、装置本体にＩＰアドレスを管理・保管するメインＣＰＵボード１と、ＩＰアドレスを仮保管・使用するイーサーネットボード２を設け、このイーサネットボード２を介してＨＩとしてのＰＣ３と結合する構成とする。
【００１１】
ＨＩ３は、イーサーネットボード２を介し、メインＣＰＵボード１とデータの送受信を行い、このためのＩＰアドレスをメインＣＰＵ１が管理し、変更はＨＩ３を用いて行う。
【００１２】
ＩＰアドレス処理のフローチャートを図２に示す。以下、処理手順毎に詳細に説明する。
（Ｓ１)メインＣＰＵボードはＩＰアドレスを管理エリアに管理・保管し、初期化時に管理エリアから読み出したＩＰアドレスをイーサーネットボードに送信する。
【００１３】
（Ｓ２）イーサーネットボードは、初期化時やＩＰアドレス変更時にメインＣＰＵボードから受信したＩＰアドレスを自ボードのＩＰアドレスとして取り込み、仮保管エリアに初期値又は変更値として書込む。
【００１４】
（Ｓ３）メインＣＰＵボードは、ＨＩからのＩＰアドレス変更要求があった場合、この変更要求を検出し、（Ｓ４）ＩＰアドレス管理エリアを更新した後、（Ｓ５）ＩＰアドレスをイーサーネットボードに対し送信する。この送信には、（Ｓ２）イーサーネットボードは、メインＣＰＵボードから受信したＩＰアドレスを仮保管エリアに書込み更新する。
【００１５】
（Ｓ６）イーサーネットボードは、ＨＩが接続中かどうかの判断を行い、更に（Ｓ７）ＨＩの切断、つまり接続状態からＨＩのソフト的な終了または物理的な切断を検出し、この検出時には（Ｓ８）仮保管エリアからＩＰアドレスを読み出し、新しいＩＰアドレスとして取り込む。
【００１６】
このように、ＨＩの接続中での切断を検出することにより、ＨＩを接続中のＩＰアドレス変更を防ぎ、ＩＰアドレスが途中で変更されることによる伝送不能状態を防ぐ。
【００１７】
（Ｓ９）イーサネットボードは、メインＣＰＵからのＩＰアドレス強制変更指令を受信したとき、（Ｓ１０）既知のＩＰアドレスへの変更処理を起動し、ＩＰアドレスを変更する。この場合のＩＰアドレスは既知のアドレスで、仮保存エリアに格納されているアドレスではない。すなわち、イーサネットボードは、ＩＰアドレスが不明になった時のような緊急時には、既知のＩＰアドレスを設定する機能も持つ。
【００１８】
これにより、既知のアドレスでＨＩを接続し、装置に設定されているＩＰアドレス（ＩＰアドレス管理エリアのアドレス）を確認（または変更）し、ＨＩを切断することにより、装置のＩＰアドレスは確認（または変更）されたアドレスに自動的に更新される。
【００１９】
以上のように、本実施形態の保護継電装置においては、各装置毎にＩＰアドレスを設定し、そのＩＰアドレスを動的に変更することができ、・装置に設定されたＩＰアドレスが不明になった場合に一時的に既知のＩＰアドレスに設定することができる。また、パソコンの切断時に自動的に従来設定されていたＩＰアドレスに設定することができる。
【００２０】
【発明の効果】
以上のとおり、本発明によれば、ＩＰアドレスを管理・保管するＣＰＵボードと、ＩＰアドレスを仮保管しパソコンと結合するイーサーネットボードとを設け、パソコンはイーサーネットボードを介してＣＰＵボードのＩＰアドレスを変更し、イーサネットボードはパソコンとの接続切断を検出したときに仮保管するＩＰアドレスを新規のＩＰアドレスとし、ＣＰＵボードからＩＰアドレスの強制変更指令を受信したときに既知のＩＰアドレスへ変更するようにしたため、以下の効果がある。
【００２１】
（１）保護継電装置に設定されたＩＰアドレスを稼動状態のまま、変更することができる。
【００２２】
（２）パソコンによりＩＰアドレス変更要求を行えば、パソコンを切断した後、自助的にＩＰアドレスが更新される。また、パソコンの接続状態では変更処理は行われない為、ＩＰアドレス変更による伝送不能状態に陥ることがない。
【００２３】
（３）保護継電装置に設定されたＩＰアドレスが不明状態になった場合においても、既知のＩＰアドレスを設定し、仮接続することができる。また、切断時は自動的に従来設定されていたＩＰアドレスに再設定できる。
【００２４】
（４）保護継電装置のＩＰアドレスを他の設定情報を一括管理するＣＰＵボードが管理することにより、イーサーネットボードに不具合が起きた場合でもイーサーネットボードを交換することにより、以前と同じＩＰアドレスで接続を行うことができる。
【図面の簡単な説明】
【図１】本発明の実施形態を示すシステム構成図。
【図２】実施形態におけるＩＰアドレス処理フローチャート。
【符号の説明】
１…メインＣＰＵボード
２…イーサネットボード
３…パソコン
【図１】
0003791194.tif 000002
【図２】
0003791194.tif 000003